(57)【特許請求の範囲】
【請求項１】
ベッドフレームの幅方向に回転自在に横架し且つ背ボトムを構成する回転軸と、この回転軸に対して大径の円管で回転軸の軸方向の中央に位置し内部に回転軸が回転可能に挿通する駆動軸とを有し、該駆動軸には、背ボトムの底面に当接すると共に前記モーターの駆動力によって回動するアームを一体に設け、該アームをベッドフレームに設けた起床装置のモーターの駆動力によって回転することにより、前記背ボトムを、回転軸を回転中心に起床させてなることを特徴とする起床装置付のベッドのボトム構造。
【発明の詳細な説明】
【０００１】
【発明の属する技術分野】
本発明は、介護用ベッドのボトムに関する。
【０００２】
【従来の技術】
使用者の上半身を起こすことができる起床装置を備えるベッドは、使用者の上半身を支持する背ボトムの回転軸の両端がベッドフレームの幅方向に回転自在に支持され、この回転軸をリンクを介してベッドフレーム側に装設した起床装置を構成するモーターの駆動力で直接回転させる構造であり、この回転軸の回転により、背ボトムは回転軸を回転中心に起床するように構成されている。
【０００３】
【発明の解決しようとする課題】
従って、前記背ボトムの回転軸を回転中心に回転させることにより起床する背ボトムは、使用者の荷重が曲げ荷重として回転軸の中央部に集中的に入力する。そのため、回転軸の軸方向における中央部が折曲する虞れがあった。従って、斯かる不具合を除去するために回転軸全体を肉厚が厚い大径のパイプで形成しているため、背ボトムの重量増を招くばかりか、ベッドフレームも補強する必要があった。
【０００４】
そこで、本発明は前記回転軸を軽量で変形する虞れがないようにすることを目的とする。
【０００５】
【課題を解決するための手段】
以上の目的を達成するための本発明は、ベッドフレームの幅方向に回転自在に横架し且つ背ボトムを構成する回転軸と、この回転軸に対して大径の円管で回転軸の軸方向の中央に位置し内部に回転軸が回転可能に挿通する駆動軸とを有し、該駆動軸には、背ボトムの底面に当接すると共に前記モーターの駆動力によって回動するアームを一体に設け、該アームをベッドフレームに設けた起床装置のモーターの駆動力によって回転することにより、前記背ボトムを、回転軸を回転中心に起床させてなることを特徴とするものである。
【０００６】
回転軸の軸方向中央は駆動軸に挿通されているため、駆動軸が回転軸の補強部材になり、回転軸の変形を防止できると共に、駆動軸の軸受が不要となる。
【０００７】
【発明の実施の形態】
本発明の実施の一形態を、図面に基づいて説明する。
図１、２は、本発明に係る起床装置付のベッドを示し、図中（１）は背ボトムで、この背ボトム（１）には腰ボトム（５）、膝ボトム（６）、脚ボトム（７）が順次上下方向に回動自在に連結されてボトムを形成し、このボトム（１）（５）（６）（７）上にマットレス（３）が敷設される。
【０００８】
この背ボトム（１）等は、ベッドフレーム（４）上に支持されており、背ボトム（１）はベッドフレーム（４）に固着したブラケット（４１）に両端部が回動自在に支持されているパイプ製の回転軸（１０）を回転中心に起床装置によって起床できるように取付けられている。
【０００９】
以上の背ボトム（１）は図１、２に示すように、パイプ製の側枠材（１１）（１１）と、前記ベッドフレーム（４）に固定したブラケット（４１）に両端が回転自在に支持されている回転軸（１０）と、断面略４角形の前枠材（１２）とからなる枠材に、多数の支持プレート（１３）…を間隔をあけて並設状に架設してなるものである。
【００１０】
なお、幅方向の中央に位置する支持プレート（１３Ａ）（１３Ａ）は、一端側である回転軸（１０）側をその左右の支持プレート（１３）（１３）に横架したプレート（１３Ｂ）に溶接され、直接回転軸（１０）には固着されていない。また、図中（１４）は各支持プレート（１３）（１３Ａ）を一体に連結する連結管で、この連結管（１４）の軸方向中央には、起床装置のアーム（２１）が当接する当接プレート（１５）が一体に溶接されている。
【００１１】
起床装置はベッドフレーム（４）に取付けたモーター（Ｍ）と、このモーター（Ｍ）の駆動力により進退するロッド（２３）と、このロッド（２３）にブラケット（２２）を介して連結するアーム（２１）と、このアーム（２１）の基端が一体に溶接されている駆動軸（２０）とから構成されている。なお、アーム（２１）は略Ｕ字状にパイプを折曲したもので、その両遊端が駆動軸（２０）に溶接されている。
【００１２】
従って、図２に示す使用者（９）が仰臥している状態より操作部材を操作してモーター（Ｍ）を作動させると、ロッド（２３）は前進してアーム（２１）が駆動軸（２０）を回転中心に回転する。そのため、アーム（２１）の先端が背ボトム（１）の当接プレート（１５）を上方に押し上げ、背ボトム（１）は図３の状態から図４に示すように起床して使用者（９）の上半身が起き上げられる。そして、背ボトム（１）を元の水平状態に戻す際には、アーム（２１）と背ボトム（１）とは別体であるため、アーム（２１）の下降によって背ボトム（１）が強制的に下降することがなく、安全性が向上する。
【００１３】
以上の起床装置を構成する駆動軸（２０）は、前記背ボトム（１）の回転軸（１０）における軸方向の中央部に配設され、回転軸（１０）の剛性を向上させている。
【００１４】
駆動軸（２０）は回転軸（１０）に対して大径の円管で、図５に示すように内部に回転軸（１０）が回動自在に挿通し、アーム（２１）の両遊端が一体に溶接されている。
【００１５】
駆動軸（２０）の両側に位置する部位の回転軸（１０）は、ブラケット（４１）を介してベッドフレーム（４）側に回転自在に支持されている。従って、一定の剛性を有し補強する必要がないため、駆動軸（２０）内に挿通されていない。
【００１６】
斯して、背ボトム（１）を起床させる際、背ボトム（１）は回転軸（１０）を回転中心に回動する。そのため、回転軸（１０）に使用者の上半身の体重等の荷重が加わり、その荷重が回転軸（１０）の中央部に曲げ荷重として集中するが、回転軸（１０）の中央部は駆動軸（２０）に補強されているため、変形等することがない。
【００１７】
なお、図面において、前記腰ボトム（５）は、前記回転軸（１０）、駆動軸（２０）と、膝ボトム（６）の回転軸（６０）との間に各々回転可能に掛止した多数の支承プレート（５０）に、連結管（５１）を連結してなるものである。
【００１８】
【発明の効果】
本発明によれば、ベッドフレームの幅方向に回転自在に横架し、背ボトムの一部を構成する回転軸は、その軸方向の中央に荷重が集中するが、背ボトムを起床させる起床装置の駆動軸により補強されるため、回転軸の変形等を防止できると共に背ボトムの軽量化を図ることができる。
【００１９】
加えて、駆動軸を回転軸に軸支されているため、駆動軸の軸受が不要になり、ベッドの構造が簡単になる。
【図面の簡単な説明】
【図１】本発明の平面図である。
【図２】同側面図である。
【図３】本発明の要部の断面図である。
【図４】図３の状態から背ボトムを起床させた状態を示す。
【図５】回転軸の中央部を示す断面図である。
【図６】回転軸の側部を示す断面図である。
【符号の説明】
１      背ボトム
４      ベッドフレーム
１０      回転軸
２０      駆動軸
【図１】
0003717268.tif 000002
【図２】
0003717268.tif 000003
【図３】
0003717268.tif 000004
【図４】
0003717268.tif 000005
【図５】
0003717268.tif 000006
【図６】
0003717268.tif 000007